(57)【特許請求の範囲】
【請求項１】
ソーラーパネルと、前記ソーラーパネルを支持する第１支持部材および第２支持部材と、棚とを備え、
前記第２支持部材は、前記第１支持部材よりも長くなっており、
水平方向の所定の一方向を第１方向とし、水平方向の、前記第１方向に直交する方向を第２方向とすると、
前記第１方向から見たときに、前記第１支持部材と前記第２支持部材とは、前記第２方向において所定の間隔をあけた状態で配置され、
前記ソーラーパネルは、前記第１方向から見たときに、前記第２方向に対して傾くように前記第１支持部材と前記第２支持部材とに支持され、
前記ソーラーパネルの下側に、陰性または半陰性の薬用植物の栽培領域が形成され、
前記第１方向から見たときに、前記栽培領域の、前記第１支持部材側の地面に、前記薬用植物が直植えされ、前記栽培領域の、前記第２支持部材側に、前記棚が設置され、
前記棚には、前記薬用植物が植えられるポットおよび／またはプランターが載せられていることを特徴する植物栽培システム。
【請求項２】
前記薬用植物が植えられるポットが収容される収容箱と、前記第１方向への前記収容箱の移動が可能となるように前記収容箱を支持する支持レールとを備え、
前記第１方向から見たときに、前記栽培領域の、前記第１支持部材側の地面には、前記薬用植物を直植えするための畝が形成され、前記支持レールは、前記畝と前記棚との間に配置されていることを特徴とする請求項１記載の植物栽培システム。
【請求項３】
前記第２支持部材は、前記第２方向において、前記棚よりも前記第１部材側に配置されていることを特徴とする請求項１または２記載の植物栽培システム。
【請求項４】
前記第２方向における前記ソーラーパネルの前記第２部材側の端部に取り付けられる遮光用のネットまたはシートを備え、
前記ネットまたは前記シートは、前記栽培領域を覆っていることを特徴とする請求項１から３のいずれかに記載の植物栽培システム。
【請求項５】
前記薬用植物は、朝鮮人参であることを特徴とする請求項１から４のいずれかに記載の植物栽培システム。
【発明の詳細な説明】
【技術分野】
【０００１】
本発明は、日陰を好む陰性または半陰性の薬用植物を栽培するための植物栽培システムに関する。
【背景技術】
【０００２】
朝鮮人参は、直射日光が当たると枯れてしまうため、朝鮮人参の栽培地には、一般に、朝鮮人参に直射日光が当たらないようにするための日除け用の屋根が設けられている。この種の日除けの屋根として、萱または稲わらで作られた日除け用の屋根や、塩化ビニル製の波型板の上に遮光ネットを配置することで作られた日除け用の屋根が知られている（たとえば、非特許文献１参照）。
【先行技術文献】
【非特許文献】
【０００３】
【非特許文献１】“朝鮮人参栽培と種苗  朝鮮にんじん栽培法”、［ｏｎｌｉｎｅ］、谷中滋養農園、［平成２４年１月３日検索］、インターネット〈URL：http://homepage3.nifty.com/jiyounouen/insam/saien/index.html〉
【発明の概要】
【発明が解決しようとする課題】
【０００４】
しかしながら、萱または稲わらで作られた日除け用の屋根や、塩化ビニル製の波型板と遮光ネットとによって構成された日除け用の屋根の場合、屋根の箇所に応じて遮光率のばらつきがある。そのため、これらの屋根を用いて朝鮮人参を栽培すると、同じ栽培地で栽培されるにもかかわらず、栽培される朝鮮人参に照射される光の量がばらついて、朝鮮人参の成長にばらつきが生じるおそれがある。【０００５】
そこで、本発明の課題は、同じ栽培地で栽培される陰性または半陰性の薬用植物の成長のばらつきを抑制することが可能な植物栽培システムを提供することにある。
【課題を解決するための手段】
【０００６】
上記の課題を解決するため、本発明の植物栽培システムは、ソーラーパネルと、ソーラーパネルを支持する第１支持部材および第２支持部材と、棚とを備え、第２支持部材は、第１支持部材よりも長くなっており、水平方向の所定の一方向を第１方向とし、水平方向の、第１方向に直交する方向を第２方向とすると、第１方向から見たときに、第１支持部材と第２支持部材とは、第２方向において所定の間隔をあけた状態で配置され、ソーラーパネルは、第１方向から見たときに、第２方向に対して傾くように第１支持部材と第２支持部材とに支持され、ソーラーパネルの下側に、陰性または半陰性の薬用植物の栽培領域が形成され、第１方向から見たときに、栽培領域の、第１支持部材側の地面に、薬用植物が直植えされ、栽培領域の、第２支持部材側に、棚が設置され、棚には、薬用植物が植えられるポットおよび／またはプランターが載せられていることを特徴する。
【０００７】
本発明の植物栽培システムでは、ソーラーパネルの下側に、陰性または半陰性の薬用植物の栽培領域が形成されている。そのため、本発明では、栽培される陰性または半陰性の薬用植物に上側から照射される光をソーラーパネルによって完全に遮ることが可能になり、ソーラーパネルにおける遮光率のばらつきをなくすことが可能になる。したがって、本発明では、同じ栽培地で栽培される陰性または半陰性の薬用植物に照射される光の量のばらつきを抑制することが可能になり、その結果、同じ栽培地で栽培される陰性または半陰性の薬用植物の成長のばらつきを抑制することが可能になる。
【０００８】
また、薬用植物が地面で栽培される場合には、地面の土壌環境を整えないと、ソーラーパネルの下側で繰り返し薬用植物を栽培することができないため、土壌環境の整備が煩雑になるが、本発明の植物栽培システムは、栽培領域に設置される棚と、棚に載せられるとともに、薬用植物が植えられるポットおよび／またはプランターとを備えているため、ポットやプランター内の土壌環境を整えれば、ソーラーパネルの下側で繰り返し薬用植物を栽培することが可能になる。したがって、土壌環境の整備が容易になる。また、栽培領域に複数段の棚を設置することで、薬用植物が地面で栽培される場合と比較して、栽培領域において、より多くの薬用植物を一度に栽培することが可能になる。
【０００９】
また、本発明の植物栽培システムは、第１支持部材と、第１支持部材よりも長さの長い第２支持部材とを備え、水平方向の所定の一方向を第１方向とし、水平方向の、第１方向に直交する方向を第２方向とすると、第１方向から見たときに、第１支持部材と第２支持部材とは、第２方向において所定の間隔をあけた状態で配置され、ソーラーパネルは、第１方向から見たときに、第２方向に対して傾くように第１支持部材と第２支持部材とに支持され、第１方向から見たときに、栽培領域の、第１支持部材側の地面に、薬用植物が直植えされ、栽培領域の、第２支持部材側に、棚が設置されている。すなわち、水平方向に対して傾斜するソーラーパネルの高さが高くなる栽培領域の第２支持部材側に棚が設置されている。そのため、ソーラーパネルの下の比較的広い空間を利用して、より多くのポット等を棚に載せることが可能になる。したがって、栽培領域の第２支持部材側に配置される棚を利用して、より多くの薬用植物を一度に栽培することが可能になる。一方で、第２方向における栽培領域の第１部材側では、ソーラーパネルの高さが低くなるため、栽培領域の第１部材側に棚を設置することが困難になるおそれがあるが、本発明では、ソーラーパネルの下の空間が狭くなる栽培領域の第１部材側に棚を設置することができなくても、薬用植物を地面に直植えして栽培することが可能になる。したがって、栽培領域を有効活用して、より多くの薬用植物を一度に栽培することが可能になる。
【００１０】
本発明において、植物栽培システムは、薬用植物が植えられるポットが収容される収容箱と、第１方向への収容箱の移動が可能となるように収容箱を支持する支持レールとを備え、第１方向から見たときに、栽培領域の、第１支持部材側の地面には、薬用植物を直植えするための畝が形成され、支持レールは、畝と棚との間に配置されていることが好ましい。このように構成すると、第２方向における畝と棚との間に配置される収容箱を利用して、薬用植物を栽培することが可能になるため、栽培領域をより有効に活用して、より多くの薬用植物を一度に栽培することが可能になる。また、このように構成すると、第２方向における畝と棚との間に収容箱が配置されていても、収容箱を第１方向へ移動させてから、収容箱に収容されるポットに植えられた薬用植物に対する作業を行うことが可能になる。したがって、第２方向における畝と棚との間に収容箱が配置されていても、収容箱に収容される薬用植物に対する作業が容易になる。
【００１１】
本発明において、第２支持部材は、第２方向において、棚よりも第１部材側に配置されていることが好ましい。このように構成すると、棚に載せられたポット等に植えられる薬用植物に対する作業を行う際に、第２支持部材が邪魔になることがない。したがって、棚に載せられたポット等に植えられる薬用植物に対する作業が容易になる。
【００１２】
本発明において、植物栽培システムは、第２方向におけるソーラーパネルの第２部材側の端部に取り付けられる遮光用のネットまたはシートを備え、ネットまたはシートは、栽培領域を覆っていることが好ましい。このように構成すると、ソーラーパネルの高さが高くなる第２支持部材側から陰性または半陰性の薬用植物に対して光が照射されるのを防止または抑制することが可能になる。また、このように構成すると、ソーラーパネルの高さが高くなる第２支持部材側において、遮光用のネットまたはシートを利用して、陰性または半陰性の薬用植物に雨や風が当たるのを防止または抑制することが可能になる。
【００１３】
本発明において、薬用植物は、たとえば、朝鮮人参である。この場合には、ソーラーパネルによって、雨を遮ることができるため、湿気をきらう朝鮮人参を適切に育成することが可能になる。また、この場合には、ソーラーパネルで発電を行いながら、高価な朝鮮人参を栽培することができるため、朝鮮人参が栽培される土地の経済性を高めることが可能になる。
【発明の効果】
【００１４】
以上のように、本発明の植物栽培システムでは、同じ栽培地で栽培される陰性または半陰性の薬用植物の成長のばらつきを抑制することが可能になる。
【図面の簡単な説明】
【００１５】
【図１】本発明の実施の形態１にかかる植物栽培システムの斜視図である。
【図２】本発明の実施の形態１の変形例にかかる植物栽培システムの斜視図である。
【図３】本発明の実施の形態２にかかる植物栽培システムの斜視図である。
【発明を実施するための形態】
【００１６】
以下、図面を参照しながら、本発明の実施の形態を説明する。
【００１７】
（実施の形態１）
図１は、本発明の実施の形態１にかかる植物栽培システム１の斜視図である。
【００１８】
本形態の植物栽培システム１は、薬用植物である朝鮮人参を栽培するためのシステムである。この植物栽培システム１は、複数のソーラーパネル（太陽電池パネル）２と、複数のソーラーパネル２を支持する支持部材としての２種類の支柱３、４とを備えている。ソーラーパネル２および支柱３、４は、農地や不耕地に設置されている。複数のソーラーパネル２は、横方向で互いに密着した状態で、複数の支柱３、４の上端に載置されている。支柱３は、支柱４よりも短くなっており、ソーラーパネル２の受光面は、水平方向に対して傾斜している。また、ソーラーパネル２の受光面は、略南側を向いている。
【００１９】
ソーラーパネル２の下側には、朝鮮人参が栽培される栽培領域Ａが形成されている。すなわち、ソーラーパネル２の下側は、朝鮮人参が栽培される栽培領域Ａとなっている。本形態では、ソーラーパネル２の下側の地面に畝５が形成されており、畝５に朝鮮人参が植えられている。栽培領域Ａの周囲は、図示を省略する遮光用のネットまたはシートで覆われている。このネットまたはシートは、たとえば、複数のソーラーパネル２の端部にぶら下がるように、複数のソーラーパネル２の端部および支柱３、４に取り付けられている。また、本形態では、栽培領域Ａとなるソーラーパネル２の下側に作業者が入って作業しやすいように、かつ、ソーラーパネル２の下側で耕運機を使用できるように、支柱３、４の高さが設定されている。たとえば、支柱３の高さは、７０ｃｍ程度であり、支柱４の高さは、１８０ｃｍ程度である。
【００２０】
このように、本形態では、ソーラーパネル２の下側に、朝鮮人参の栽培領域Ａが形成されているため、栽培領域Ａで栽培される朝鮮人参に上側から照射される光をソーラーパネル２によって完全に遮ることが可能になり、ソーラーパネル２における遮光率のばらつきをなくすことが可能になる。したがって、本形態では、栽培領域Ａで栽培される朝鮮人参に照射される光の量のばらつきを抑制することが可能になり、その結果、栽培領域Ａで栽培される朝鮮人参の成長のばらつきを抑制することが可能になる。また、本形態では、ソーラーパネル２によって、朝鮮人参にかかる雨を遮ることができるため、湿気をきらう朝鮮人参を適切に育成することが可能になる。さらに、本形態では、ソーラーパネル２で発電を行いながら、高価な朝鮮人参を栽培することができるため、朝鮮人参が栽培される土地の経済性を高めることが可能になる。また、本形態では、ソーラーパネル２の下側に朝鮮人参の栽培領域Ａが形成されているため、現行の農地法の下でも、農地や不耕地にソーラーパネル２を設置することが可能になる。
【００２１】
（実施の形態１の変形例）
図１に示す植物栽培システム１では、ソーラーパネル２の下側の地面に畝５が形成されているが、図２に示すように、ソーラーパネル２の下側（すなわち、栽培領域Ａ）に棚８が設置されるとともに、この棚８に載せられたポット９やプランター（図示省略）に朝鮮人参が植えられても良い。畝５を利用して地面で朝鮮人参が栽培される場合には、地面の土壌環境を整えないと、栽培領域Ａで繰り返し朝鮮人参を栽培することができないため、土壌環境の整備が煩雑になるが、この場合には、ポット９やプランター内の土壌環境を整えれば、栽培領域Ａで繰り返し朝鮮人参を栽培することが可能になる。したがって、土壌環境の整備が容易になる。また、この場合には、たとえば、棚８が複数段の棚であれば、朝鮮人参が地面で栽培される場合と比較して、栽培領域Ａにおいて、より多くの朝鮮人参を一度に栽培することが可能になる。また、栽培領域Ａでは、朝鮮人参以外の陰性または半陰性の薬用植物（薬草）が栽培されても良いし、薬用植物以外の陰性植物や半陰性植物が栽培されても良い。たとえば、きのこ、ウドまたはアスパラガス等の陰性植物や半陰性植物が栽培領域Ａで栽培されても良い。
【００２２】
（実施の形態２）
図３は、本発明の実施の形態２にかかる植物栽培システム１１の斜視図である。なお、以下の説明では、図３に示すように、水平方向における所定の一方向（図３のＸ方向（図３の紙面垂直方向））を前後方向とし、水平方向において、前後方向に直交する方向（図３のＹ方向）を左右方向とする。また、Ｙ方向の一方側（図３のＹ１方向側）を右側とし、Ｙ方向の他方側（図３のＹ２方向側）を左側とする。本形態のＸ方向は第１方向であり、Ｙ方向は第２方向である。
【００２３】
本形態の植物栽培システム１１は、実施の形態１の植物栽培システム１と同様に、朝鮮人参を栽培するためのシステムである。この植物栽培システム１１は、複数のソーラーパネル２と、複数のソーラーパネル２を支持する２種類の支柱１３、１４とを備えている。ソーラーパネル２および支柱１３、１４は、農地や不耕地に設置されている。複数のソーラーパネル２は、前後方向で互いに密着した状態で、複数の支柱１３、１４の上端に載置されている。支柱１４の長さは、支柱１３の長さよりも長くなっている。本形態の支柱１３は第１支持部材であり、支柱１４は第２支持部材である。
【００２４】
図３に示すように、支柱１３は、ソーラーパネル２の左端側を支持し、支柱１４は、ソーラーパネル２の左右方向における中心よりも右側の部分を支持している。すなわち、前後方向から見たときに、支柱１３と支柱１４とは、左右方向において所定の間隔をあけた状態で配置されており、ソーラーパネル２は、前後方向から見たときに左右方向に対して傾いている。すなわち、ソーラーパネル２の受光面は、水平方向に対して傾斜している。また、実施の形態１と同様に、ソーラーパネル２の受光面は、略南側を向いている。ソーラーパネル２の下側は、実施の形態１と同様に、朝鮮人参が栽培される栽培領域Ａとなっている。なお、本形態では、支柱１３は、地面に対して垂直に立ち上っており、支柱１４は、地面に対して支柱１３側へ傾いた状態で立ち上っている。ただし、支柱１４は、地面に対して垂直に立ち上っていても良い。
【００２５】
前後方向から見たときに、栽培領域Ａの支柱１３側の地面（すなわち、栽培領域Ａの左側部分の地面）には、朝鮮人参が直植えされており、栽培領域Ａの左側部分の地面には、朝鮮人参を直植えするための畝１５が形成されている。また、前後方向から見たときに、栽培領域Ａの支柱１４側（すなわち、栽培領域Ａの右側部分）には、収容箱１７が載せられる棚１８が設置されている。さらに、前後方向から見たときに、畝１５と棚１８との間には、前後方向への収容箱１７の移動が可能となるように収容箱１７を支持する２本の支持レール１９が設置されている。
【００２６】
収容箱１７には、朝鮮人参が植えられる複数のポット（図示省略）が収容されている。具体的には、ハニカム状に形成されたハニカム構造のペーパーポット（紙製ポット）が収容箱１７に収容されており、複数のポットのそれぞれに、朝鮮人参が植えられている。また、収容箱１７の底面側には、保湿性と殺菌性とを有するシートが敷かれている。すなわち、ペーパーポットの下側には、保湿性と殺菌性とを有するシートが敷かれている。なお、本形態では、収容箱１７に収容されたポットに植えられる朝鮮人参の苗が畝１５で育成される。すなわち、本形態の畝１５は、朝鮮人参の苗を育成するための育苗用床である。
【００２７】
棚１８は、収容箱１７が搭載される搭載部１８ａと、搭載部１８ａを支持する支柱１８ｂとから構成されている。本形態の棚１８は、たとえば、図３に示すように、上下方向で重なる２個の搭載部１８ａを有する２段の棚である。棚１８は、支柱１４よりも右側に配置されている。すなわち、支柱１４は、左右方向において、棚１８よりも支柱１３側に配置されている。具体的には、支柱１４の右側に隣接するように支柱１８ｂが配置されており、搭載部１８ａは、支柱１８ｂから右側へ突出している。
【００２８】
なお、棚１８は、３段以上の棚であっても良いし、１段の棚であっても良い。棚１８が１段の棚である場合には、たとえば、図３の下側の搭載部１８ａを取り外せば良い。また、搭載部１８ａの下側の地面に直接、収容箱１７が置かれても良い。また、搭載部１８ａには、朝鮮人参が植えられたプランターが搭載されても良い。また、支柱１４がソーラーパネル２の右端側を支持するとともに、棚１８が支柱１４よりも左側に配置されても良い。また、本形態の支柱１８ｂは、ソーラーパネル２を支持しているが、支柱１８ｂは、ソーラーパネル２を支持していなくても良い。
【００２９】
２本の支持レール１９は、左右方向において所定の間隔をあけた状態で配置されている。２本の支持レール１９の上には、パネル２０が載せられており、パネル２０に、収容箱１７が載せられている。パネル２０は、支持レール１９上で前後方向へ移動可能となっている。すなわち、収容箱１７は、パネル２０とともに支持レール１９上で前後方向へ移動可能となっている。なお、図３に示す例では、前後方向から見たときに、１個の収容箱１７がパネル２０に載るように、パネル２０は平板状に形成されているが、前後方向から見たときに、複数個の収容箱１７が上下方向で重なった状態でパネル２０に載るように、パネル２０が多段式に形成されても良い。
【００３０】
ソーラーパネル２の右端部には、遮光用のネット２１が取り付けられている。ネット２１は、右側から栽培領域Ａを覆うように、ソーラーパネル２に取り付けられている。なお、ネット２１に代えて遮光用のシートがソーラーパネル２に取り付けられても良い。
【００３１】
以上説明したように、本形態では、水平方向に対して傾斜するソーラーパネル２の高さが高くなる栽培領域Ａの右側部分に棚１８が設置されている。そのため、本形態では、図３に示すように、ソーラーパネル２の下の比較的広い空間を利用して、より多くの収容箱１７を棚１８に載せることが可能になる。したがって、本形態では、栽培領域Ａの右側部分に配置される棚１８を利用して、より多くの朝鮮人参を一度に栽培することが可能になる。一方で、栽培領域Ａの左側部分では、ソーラーパネル２の高さが低くなるため、図３に示すように、棚１８を設置することは困難であるが、本形態では、ソーラーパネル２の下の空間が狭くなる栽培領域Ａの左側部分でも、畝１５を利用して、朝鮮人参を栽培することが可能になる。したがって、本形態では、栽培領域Ａを有効活用して、より多くの朝鮮人参を一度に栽培することが可能になる。特に本形態では、左右方向における畝１５と棚１８との間に、支持レール１９に支持される収容箱１７が配置されているため、支持レール１９に支持される収容箱１７を利用して、朝鮮人参を栽培することが可能になる。したがって、本形態では、栽培領域Ａをより有効に活用して、より多くの朝鮮人参を一度に栽培することが可能になる。
【００３２】
本形態では、左右方向における畝１５と棚１８との間に支持レール１９が配置されている。そのため、本形態では、左右方向における畝１５と棚１８との間に支持レール１９に支持される収容箱１７が配置されていても、支持レール１９を利用して、収容箱１７を前後方向へ移動させてから、収容箱１７に収容されるポットに植えられた朝鮮人参に対する作業を行うことが可能になる。したがって、本形態では、左右方向における畝１５と棚１８との間に収容箱１７が配置されていても、収容箱１７に収容される朝鮮人参に対する作業が容易になる。また、本形態では、棚１８が支柱１４よりも右側に配置されているため、棚１８上の収容箱１７に収容されるポットに植えられた朝鮮人参に対する作業を行う際に、支柱１４が邪魔になることがない。したがって、本形態では、棚１８上の収容箱１７に収容されるポットに植えられた朝鮮人参に対する作業が容易になる。
【００３３】
本形態では、ソーラーパネル２の右端部に遮光用のネット２１が取り付けられており、栽培領域Ａは、右側からネット２１に覆われている。そのため、本形態では、ソーラーパネル２の高さが高くなる栽培領域Ａの右側から朝鮮人参に対して光が照射されるのを防止または抑制することが可能になる。また、本形態では、ソーラーパネル２の高さが高くなる栽培領域Ａの右側において、ネット２１を利用して、朝鮮人参に雨や風が当たるのを防止または抑制することが可能になる。
【符号の説明】
【００３４】
１、１１  植物栽培システム
２  ソーラーパネル
３、４  支柱（支持部材）
８、１８  棚
９  ポット
１３  支柱（支持部材、第１支持部材）
１４  支柱（支持部材、第２支持部材）
１５  畝
１７  収容箱
１９  支持レール
２１  ネット
Ａ  栽培領域
Ｘ  第１方向
Ｙ  第２方向
【図１】
0005565988.tif 000002
【図２】
0005565988.tif 000003
【図３】
0005565988.tif 000004